(57)【要約】【課題】本体筐体部と排出筐体部とを備えた画像形成装置において、ＩＣカードリーダーをユーザーがアクセスし易い箇所に配置しつつ、定着部からの熱でＩＣカードリーダーが破損するのを防止する。【解決手段】画像形成装置は、排出筐体部３内に設けられ、定着部１６よりも上側にて水平方向に延びる板金部材３１と、排出筐体部３の上端部にて上側に開放するとともにＩＣカードリーダー２３が収容される収容凹部３０ｃを有する樹脂製のカードリーダー保持部３０ａと、収容凹部３０ｃに収容されたＩＣカードリーダー２３を外側から覆うとともに排出筐体部３の外壁面を構成するカバー部材３２とを備え、カードリーダー保持部３０ａは、収容凹部３０ｂの底壁と板金部材３１の上面との間に定着部１６からの熱を遮断する遮熱空間Ｓが生じるように形成されている。【選択図】図４
2018124516.tif 000002
【特許請求の範囲】
【請求項１】
上面に排紙トレイ部が設けられた本体筐体部と、該本体筐体部の上面部における該排紙トレイ部に隣接する部分から上側に起立し、上記排紙トレイ部に向けて記録紙を排出する排出筐体部と、該排出筐体部内又は該排出筐体部の下方に配置された定着部と、非接触式のＩＣカードリーダーとを備えた電子写真方式の画像形成装置であって、
上記排出筐体部内に設けられ、上記定着部よりも上側にて水平方向に延びる板金部材と、
上記排出筐体部の上端部にて上側に開放するとともに上記ＩＣカードリーダーが収容される収容凹部を有する樹脂製のカードリーダー保持部と、
上記収容凹部に収容された上記ＩＣカードリーダーを外側から覆うとともに上記排出筐体部の外壁面を構成するカバー部材とを備え、
上記カードリーダー保持部は、上記収容凹部の底壁と上記板金部材の上面との間に上記定着部からの熱を遮断する遮熱空間が生じるように形成されている、画像形成装置。
【請求項２】
請求項１記載の画像形成装置において、
上記排出筐体部の上端部の前側面は、前側から見て左右方向に延びる軸部回りに回動可能に支持された操作パネルが設けられ、
上記操作パネルは、その操作面が前側を向く第一位置と、該操作面が上側を向く第二位置との間で回動可能になっていて、該第二位置において上記操作面が上記ＩＣカードリーダーを覆う上記カバー部材の上面と面一になるように構成されている、画像形成装置。
【請求項３】
請求項１又は２記載の画像形成装置において、
上記遮熱空間の上下方向の寸法は、上記定着部の上端から上記板金部材までの距離の１／４以上である、画像形成装置。
【請求項４】
請求項２記載の画像形成装置において、
上記カードリーダー保持部は、上記収容凹部の前側壁から下側に延びて上記板金部材に固定されるとともに上記遮熱空間の前側壁を構成する前側脚部をさらに備えている、画像形成装置。
【発明の詳細な説明】
【技術分野】
【０００１】
本発明は、ＩＣカードリーダーを備えた画像形成装置に関する。
【背景技術】
【０００２】
従来より、電子写真方式の画像形成装置として、上面に排紙トレイ部が設けられた本体筐体部と、本体筐体部の上面における排紙トレイ部に隣接する部分から上方に起立し、上記排紙トレイ部に向けて記録紙を排出する排出筐体部とを備えたものが知られている。
【０００３】
この画像形成装置は、排出筐体部の上面に画像読取装置を装着することで例えば複写機として利用可能になっている。この場合、画像形成装置の本体筐体部と画像読取装置との間に排紙用の空間が形成されることから、当該画像形成装置は胴内排紙型と称される（例えば、特許文献１参照）。
【０００４】
ところで、近年、ユーザーのセキュリティ意識が高まる中で、ＩＣカードリーダーを搭載した画像形成装置が普及している。例えば上記特許文献１に示す画像形成装置では、ＩＣカードリーダーを画像読取装置の前側面における操作部の側方に固定している。ＩＣカードリーダーは、個人コード等のデータが入力された非接触式のＩＣカードの情報を読取る検知面を有している。ユーザーがＩＣカードリーダーの検知面にかざすと、該ＩＣカードに入力されたデータがＩＣカードリーダーによって読み取られる。
【先行技術文献】
【特許文献】
【０００５】
【特許文献１】特開２０１４−１６７５１１号公報
【発明の概要】
【発明が解決しようとする課題】
【０００６】
ここで、上記特許文献１に示す胴内排紙型の画像形成装置において、排出筐体部の上面から画像読取装置を取り外して当該画像形成装置を単なるプリンターとして使用する場合、ＩＣカードリーダーの設置箇所が限られてしまう。すなわち、排出筐体部の上面に画像読取装置が装着されている場合には、画像読取装置の側面にＩＣカードリーダーを設置すればよいが、画像読取装置が装着されていない場合には、ユーザーがＩＣカードをかざし易い箇所（つまりはＩＣカードリーダーの設置箇所）が排出筐体部の上面部に限られてしまう。
【０００７】
しかし、排出筐体部内又は排出筐体部の下方には通常、トナー像を記録紙に熱定着させる定着部が配置されている。定着部はヒーター等の熱源を有しているので、ＩＣカードリーダーを排出筐体部の上面部に配置した場合、ＩＣカードリーダーが定着部からの熱により破損する虞がある。
【０００８】
本発明は、かかる点に鑑みてなされたものであり、その目的とするところは、本体筐体部と排出筐体部とを備えた画像形成装置において、ＩＣカードリーダーをユーザーがアクセスし易い箇所に配置しつつ、定着部からの熱でＩＣカードリーダーが破損するのを防止することにある。
【課題を解決するための手段】
【０００９】
本発明に係る画像形成装置は、上面に排紙トレイ部が設けられた本体筐体部と、該本体筐体部の上面部における該排紙トレイ部に隣接する部分から上側に起立し、上記排紙トレイ部に向けて記録紙を排出する排出筐体部と、該排出筐体部内又は該排出筐体部の下方に配置された定着部と、非接触式のＩＣカードリーダーとを備えた電子写真方式の画像形成装置である。
【００１０】
そして、上記排出筐体部内に設けられ、上記定着部よりも上側にて水平方向に延びる板金部材と、上記排出筐体部の上端部にて上側に開放するとともに上記ＩＣカードリーダーが収容される収容凹部を有する樹脂製のカードリーダー保持部と、上記収容凹部に収容された上記ＩＣカードリーダーを外側から覆うとともに上記排出筐体部の外壁面を構成するカバー部材とを備え、上記カードリーダー保持部は、上記収容凹部の底壁と上記板金部材の上面との間に上記定着部からの熱を遮断する遮熱空間が生じるように形成されている。
【発明の効果】
【００１１】
本発明によれば、本体筐体部と排出筐体部とを備えた画像形成装置において、ＩＣカードリーダーをユーザーがアクセスし易い箇所に配置しつつ、定着部からの熱でＩＣカードリーダーが破損するのを防止することができる。
【図面の簡単な説明】
【００１２】
【図１】図１は、実施形態における画像形成装置を示す外観斜視図である。
【図２】図２は、画像形成装置の内部構成を示す概略図である。
【図３】図 ３は、画像形成装置を右側から見た側面図であって操作パネルの操作面を上側に向けた状態を示す図である。
【図４】図４は、図１のIV-IV線断面図である。
【図５】図５は、図４のV部を拡大して示す拡大図である。
【図６】図６は、図５のVI-VI線断面図である。
【発明を実施するための形態】
【００１３】
以下、本発明の実施形態を図面に基づいて詳細に説明する。尚、本発明は、以下の実施形態に限定されるものではない。
《実施形態》
【００１４】
図１は、本実施形態における画像形成装置１００を示している。以下の説明において、前側、後側は画像形成装置１００の前側、後側を意味し、左側、右側は、画像形成装置１００を前側から見たときの左側、右側を意味する。
【００１５】
この画像形成装置１００は、上面に排紙トレイ部２が形成された本体筐体部１と、本体筐体部１の上面部の右側端部に連結されて排紙トレイ部２に向けて記録を排出する排出筐体部３と、本体筐体部１の上面部の後側端部に連結されて制御基板等が収納された収納筐体部４とを有している。排出筐体部３は、排紙トレイ部２の右側にて本体筐体部１の上面部から上側に起立している。収納筐体部４は、排紙トレイ部２の後側にて本体筐体部１の上面部から上側に起立している。排出筐体部３の上面と収納筐体部４の上面とは略面一になっていて画像読取装置１０１の装着面１００aを形成している。この装着面１００aに画像読取装置１０１を装着すると、画像読取装置１０１と本体筐体部１との間に排紙用の空間Ｋが形成されるので、当該画像形成装置１００は胴内排紙型と称される。尚、本実施形態では、画像読取装置１０１は装着されておらず、画像形成装置１００を単にプリンターとして利用される。
【００１６】
図２は、画像形成装置１００の内部構造を示す概略図である。画像形成装置１００内の下端部には、記録紙Ｐを束状に積層した状態で収容する給紙カセット１０が前側に引き出し可能に設けられている。画像形成装置１００内にはさらに、像担持体である感光ドラム１１、該感光ドラム１１の表面を一様に帯電させる帯電器１２、帯電した感光ドラム１１の表面にレーザー光を露光走査して画像情報に応じた静電潜像を形成するレーザースキャナニングユニット（ＬＳＵ）１３、感光ドラム１１上に形成された静電潜像を現像剤であるトナーによって現像して顕像化する現像装置１４、感光ドラム１１上に形成されたトナー像を用紙上に転写する転写機１５、用紙上に転写されたトナー像を加熱及び加圧して定着させる定着装置１６等のプロセス機器が収容されている。
【００１７】
これらのプロセス機器のうち定着装置１６以外は本体筐体部１内に収容され、定着装置１６は排出筐体部３内に収容されている。定着装置１６は、ヒーター等の熱源を有していて、記録紙Ｐ上のトナー像を熱定着させる装置である。排出筐体部３の左側面には、定着装置１６による定着処理が完了した記録紙Ｐを排紙トレイ部２に排出するための排紙口３ａ，３ｂが形成されている。尚、符号Ｔ１は記録紙Ｐの印刷用の搬送経路であり、符号Ｔ２は、記録紙Ｐのスイッチバック用の紙搬送路である。
【００１８】
排出筐体部３の上端部おける前側面には、ユーザーが画像形成装置１００に対して各種の指示や設定を行うための操作パネル２０が取付けられている。操作パネル２０の操作面２０ａには、矩形状のタッチパネル２１や、複数の操作ボタン２２が設けられている。操作パネル２０は、左右方向に延びる軸部２４（図３参照）に回動可能に支持されている。軸部２４は排出筐体部３の前側面から突出する縦板部２５に固定されている。そして、操作パネル２０は、操作面２０ａが前側を向く第一位置（図１参照）と、第一位置から操作パネル２０を９０°回転させて操作面２０ａを上側に向けた第二位置（図３参照）との間で回動可能になっている。操作パネル２０が第二位置にあるときには、その操作面２０ａと、後述するＩＣカードリーダー２３を覆うカバー部材３２の上面とが面一になる。
【００１９】
排出筐体部３の上端部の前側端部（操作パネル２０の後側に隣接する部分）には、ＩＣカードリーダー２３が設けられている。ＩＣカードリーダー２３は、個人コード等のデータが入力された非接触式のＩＣカードの情報を読取る検知面２３ａ（図４参照）を有している。ユーザーがＩＣカードリーダー２３の検知面２３ａにかざすと、該ＩＣカードに入力されたデータがＩＣカードリーダー２３によって読み取られる。
【００２０】
次に図４〜図６を参照して、排出筐体部３に対するＩＣカードリーダー２３の取付構造について説明する。図４は、図１のIV-IV線断面図であり、図５は、図４のV部を拡大して示す拡大図であり、図６は、図５のVI-VI線断面図である。
【００２１】
ＩＣカードリーダー２３は、外観視で左右方向に長い偏平な矩形箱状をなしている。ＩＣカードリーダー２３の上面はＩＣカードの情報を読取る上記検知面２３ａとされている。
【００２２】
ＩＣカードリーダー２３は、樹脂部材３０を介して排出筐体部３内の板金部材３１に支持されている。
【００２３】
板金部材３１は、排出筐体部３内において前後方向の略全体に亘って延設されている。板金部材３１の前後方向の両端部はそれぞれ、排出筐体部３内の前側フレーム３ｃ及び後側フレーム３ｄにボルトで固定されている。前側フレーム３ｃ及び後側フレーム３ｄは、板金部材３１と同様に金属製部材で構成されている。
【００２４】
樹脂部材３０は、平面視で排出筐体部３の前後方向の全体に亘って延設されている。樹脂部材３０は、排出筐体部３の外装カバーとしても兼用されている。樹脂部材３０の前端部には、ＩＣカードリーダー２３を保持するためのカードリーダー保持部３０ａが形成されている。
【００２５】
カードリーダー保持部３０ａは、収容凹部３０ｂ、前側脚部３０ｃ、左側脚部３０ｄ、及び右側脚部３０ｅを有している。収容凹部３０ｂは上側に開放する有底箱状の凹部である。収容凹部３０ｂ内にはＩＣカードリーダー２３が収容されている。前側脚部３０ｃは、収容凹部３０ｂの前側壁から下方に垂下した後に前側に向かって水平に折れ曲がった断面Ｌ字状に形成されている（図５参照）。前側脚部３０ｃの左右方向の幅は収容凹部３０ｂの前側壁の左右方向の幅と略等しい。前側脚部３０ｃの鉛直部は、後述する遮熱空間Ｓの前側壁を構成している。前側脚部３０ｃの下端部は板金部材１３の上面にボルト等で構成されている。
【００２６】
左側脚部３０ｄは、収容凹部３０ｂの左側壁から下側に延びた後に上下に略Ｓ字状に屈曲して前側フレーム３ｃの上面にボルトで固定されている。
【００２７】
右側脚部３０ｅは、収容凹部３０ｂの右側壁から右側に向かって水平に延びた後、右斜め下側に向かって階段状に屈曲し、その後、左側に屈曲して板金部材３１の右側壁にボルトで固定されている。
【００２８】
上記収容凹部３０ｂの底壁の下側には、定着装置１６からの発熱を遮断するための遮熱空間Ｓが設けられている。この遮熱空間Ｓの上下方向の寸法ｄは、定着装置１６の上端から板金部材３１までの距離の１／４以上に設定されている。
【００２９】
上記収容凹部３０ｂに収容されたＩＣカードリーダー２３と、該収容凹部３０ｂを含むカードリーダー保持部３０ａとは、カバー部材３２により覆われている。カバー部材３２は、前後方向から見て下側に開放するコ字状をなしている（図６参照）。カバー部材３２の上壁における収容凹部３０ｂの上側を覆う部分には開口部が形成され、この開口部はＩＣカードリーダー２３の電波を透過し易い閉塞板３２ａにより閉塞されている。
【００３０】
以上説明したように、本実施形態の画像形成装置１００は、定着装置１６よりも上側にて水平方向に延びる板金部材３１と、上側に開放するとともにＩＣカードリーダー２３が収容される収容凹部３０ｂを含む樹脂製のカードリーダー保持部３０ａと、収容凹部３０ｂに収容されたＩＣカードリーダー２３とを外側から覆うとともに排出筐体部３の外壁面を構成するカバー部材３２とを備えている。そしてカードリーダー保持部３０ａは、収容凹部３０ｂの底壁と板金部材３１の上面との間に定着装置１６からの熱を遮断する遮熱空間Ｓが生じるように形成されている。
【００３１】
このように、板金部材３１との間に遮熱空間Ｓを隔てて配置された収容凹部３０ｂにＩＣカードリーダー２３を収容することで、ＩＣカードリーダー２３が定着装置１６からの熱で破損するのを防止することができる。また、収容凹部３０ｂを形成するカードリーダー保持部３０ａは樹脂部材で構成されているので遮熱効果が高い。したがって、ＩＣカードリーダー２３が熱的に破損するのをより一層確実に防止することができる。また、ＩＣカードリーダー２３は、排出筐体部３の外壁面を構成するカバー部材３２により覆われていて、排出筐体部３の上面部に内蔵された構成になっている。したがって、例えばＩＣカードリーダー２３を排出筐体部３の側面から突出する固定ブラケットに支持させた場合に比べて、外観意匠の向上を図るとともに装置全体をコンパクト化することができる。また、ＩＣカードリーダー２３は、排出筐体部３の上端部の前側端部に設けられているので、ユーザーがＩＣカードを検知面２３ａにかざす際に屈んだり手を伸ばしたりする必要もない。
【００３２】
また、排出筐体部３の上端部の前側面には、前側から見て左右方向に延びる軸部２４回りに回動可能に支持された操作パネル２０が設けられ、操作パネル２０は、その操作面２０ａが前側を向く第一位置と、該操作面２０ａが上側を向く第二位置との間で回動可能になっていて、該第二位置において上記操作面２０ａが上記ＩＣカードリーダー２３を覆うカバー部材３２の上面と面一になるように構成されている。
【００３３】
この構成によれば、背の高いユーザーは操作パネル２０を上側に向けることで操作性を向上させることができる。また、その際、操作パネル２０の操作面２０ａとカバー部材３２の上面との間に段差が生じることがないので、ＩＣカードをＩＣカードリーダー２３の検知面２３ａにかざす際にＩＣカードが傾いて読取りエラーになるのを回避することができる。
【００３４】
さらに、上記遮熱空間Ｓの上下方向の寸法ｄは、定着装置１６の上端から板金部材３１までの距離の１／４以上に設定されている。
【００３５】
発明者らは鋭意研究の末、寸法ｄを上記距離の１／４以上とすることで定着装置１６からＩＣカードリーダー２３への伝熱をほぼ確実に遮断可能であることを見出した。尚、この寸法ｄは定着装置１６からの熱を遮断する観点では大きいほど好ましいが、排出筐体部３の高さを抑えてコンパクト化を図る観点では上記距離の１／３以下であることが好ましい。
【００３６】
さらに上記カードリーダー保持部３０ａは、収容凹部３０ｂの他に、該収容凹部３０ｂの前側壁から下側に延びて板金部材３１に固定される前側脚部３０ｃをさらに備え、前側脚部３０ｃの鉛直部は遮熱空間Ｓの前側壁を構成している。
【００３７】
この構成によれば、比較的高温になり易い操作パネル２０からの発熱を前側脚部３０ｃにより遮断して遮熱空間Ｓの温度上昇を抑制することができる。延いては、遮熱空間Ｓの温度が上昇してＩＣカードリーダー２３が破損するのを防止することができる。
【産業上の利用可能性】
【００３８】
以上説明したように、本発明は、画像形成装置について有用である。
【符号の説明】
【００３９】
Ｐ     記録紙
Ｓ     遮熱空間
ｄ     寸法
１     本体筐体部
２     排紙トレイ部
３     排出筐体部
１６   定着装置（定着部）
２０   操作パネル
２０ａ 操作面
２３   ＩＣカードリーダー
２３ａ 検知面
３０ａ カードリーダー保持部
３０ｂ 収容凹部
３０ｃ 前側脚部
３１   板金部材
３２   カバー部材
１００ 画像形成装置
【図１】
2018124516.tif 000003
【図２】
2018124516.tif 000004
【図３】
2018124516.tif 000005
【図４】
2018124516.tif 000006
【図５】
2018124516.tif 000007
【図６】
2018124516.tif 000008